(57)【特許請求の範囲】
【請求項１】
水平方向に走査する第１の規則で画素が配置された画像データを記憶する記憶手段と、
前記記憶手段に記憶された画像データを、前記水平方向と所定角度をなす方向に走査する第２の規則で画素が配置されるように変換する画像変換手段と、
前記画像変換手段によって変換された画像データを用いて走査を行う画像表示器と、
を備え、
前記画像表示器は平行四辺形及び台形の２種類の形状から構成され、かつそれぞれ接続されて一連の画像を表示するものであり、双方の走査線の走査方向は、前記平行四辺形と前記台形とが、接する辺と平行であり、
複数の画像表示器がそれぞれ接続されて一連の画像を表示するものであり、
各画像表示器をそれぞれ接続し、かつ各画像表示器間の接続部で山折りまたは谷折りが可能な接続部材が設けられており、
前記接続部材を折り目として所定の規則性をもって折り畳むことにより、一軸方向への伸縮によって開閉自在であることを特徴とする表示装置。
【請求項２】
前記第１の規則は、前記記憶手段に記憶された前記画像データの前記画素を縦横ともに格子状に配列させる規則であり、
前記第２の規則は、前記画素を、前記平行四辺形と前記台形とが接する辺と平行に配列させる規則であることを特徴とする請求項１に記載の表示装置。
【発明の詳細な説明】
【技術分野】
【０００１】
この発明は、平行四辺形または台形などの画像表示器を備える表示装置に関する。ただし、この発明の利用は、上述した表示装置には限られない。
【背景技術】
【０００２】
近年、情報処理技術の発達にともない、各種情報を表示するための表示装置もさまざまな形態のものが提案されている（たとえば、特許文献１を参照。）。
【０００３】
特許文献１に開示されている技術は、複数の六角形状の画像表示器を接続して球面形状の表示装置を構成し、観客や装置による死角を生ずることなく、全天周を一連の画像として表示可能にするものである。
【０００４】
【特許文献１】特開２００３−２１６１３４号公報
【発明の開示】
【発明が解決しようとする課題】
【０００５】
ところで、特許文献１では、表示装置を構成する各画像表示器の走査線の方向がどのようになっているのか具体的な記載がない。一般に、画像表示器の走査線が水平方向になっている場合は、表示される画像に問題はない。しかし、特許文献１に示されているような六角形状の画像表示器では、その形状に合わせて走査線を斜め方向に形成した場合には、表示される画像が歪んでしまうという問題が発生する。
【課題を解決するための手段】
【０００６】
請求項１に記載の発明にかかる表示装置は、水平方向に走査する第１の規則で画素が配置された画像データを記憶する記憶手段と、前記記憶手段に記憶された画像データを、前記水平方向と所定角度をなす方向に走査する第２の規則で画素が配置されるように変換する画像変換手段と、前記画像変換手段によって変換された画像データを用いて走査を行う画像表示器と、を備え、前記画像表示器は平行四辺形及び台形の２種類の形状から構成され、かつそれぞれ接続されて一連の画像を表示するものであり、双方の走査線の走査方向は、前記平行四辺形と前記台形とが、接する辺と平行であり、複数の画像表示器がそれぞれ接続されて一連の画像を表示するものであり、各画像表示器をそれぞれ接続し、かつ各画像表示器間の接続部で山折りまたは谷折りが可能な接続部材が設けられており、前記接続部材を折り目として所定の規則性をもって折り畳むことにより、一軸方向への伸縮によって開閉自在であることを特徴とする。
【発明を実施するための最良の形態】
【０００７】
図１−１〜図１−３は、この発明にかかる表示装置の概念を示す図である。図１−１は、従来の表示装置、たとえばアスペクト比が４：３あるいは１６：９の長方形状の表示装置における表示画素の配列を模式化した図である。図１−２は、この発明における表示装置であり平行四辺形の形状に、表示画素が平行四辺形に合わせて少しずつシフトして形成したものを示す図である。また、図１−３は、この発明における平行四辺形の表示装置の別の画素の配置例を示す図である。図１−３では、図１−１に比べて画素が水平方向ではなく所定の角度をなして配列している。
【０００８】
図２−１〜図２−３は、それぞれ図１−１〜図１−３に示した表示装置に対して所定の画像を表示させた場合を示す図である。図２−１〜図２−３において、斜線部は発光画素を示している。
【０００９】
ここで、従来の表示装置で、図２−１に示すように画像が表示されているとする。これをこの実施の形態の表示装置で、従来装置と同様に走査を行うと、表示しようとしている画像が意図どおりに表示されない場合が生じる。たとえば、図２−２に示すように画像が段ずれを起こしてしまったり、図２−３に示すように画像が回転して表示されてしまったりすることになる。そこで、この発明の表示装置は以下のような構成とした。
【００１０】
図３は、この発明にかかる表示装置の概要を説明するための図である。図３において、表示装置１０は、表示しようとするオリジナル画像データを記憶するオリジナル画像メモリ１１と、画像変換部１２と、変換された画像データを記憶する変換画像メモリ１３と、変換された画像データが表示される、たとえば平行四辺形の画像表示器１４と、により構成される。
【００１１】
オリジナル画像メモリ１１は、外部から取得した画像データ（たとえば、各種のテレビ放送、各種記録媒体から読み取られた画像データ、ネットワーク経由で取得された画像データ）を記憶するものである。このデータは通常の長方形であって水平方向の走査線を有する画像表示器に適合した一般的な画像データである。
【００１２】
画像変換部１２は、オリジナル画像データを平行四辺形の画像表示器１４の走査線に相応しいようにオリジナル画像データを変換する（変換の方法については後述する）。変換された変換画像データは変換画像メモリ１３に記憶保持され、平行四辺形の画像表示器１４に描画される。この平行四辺形の画像表示器１４は、図１−２のように画素が配列するように構成され、走査線が平行四辺形の１組の辺１４ａ，１４ｂと同じ向きになっている。
【００１３】
表示装置１０は、オリジナル画像データを平行四辺形の画像表示器１４の走査方向に適合するように、画像変換部で変換するので、画素の配列が４：３や１６：９の長方形の画像表示器とは異なる（つまり走査線の向きが水平ではなく、所定の角度を有している）画像表示器であっても、オリジナル画像データが歪んだり回転したりして表示することを防止することができる。以下、この発明にかかる表示装置の好適な実施の形態を詳細に説明する。
【００１４】
図４は、この発明の実施の形態にかかる表示装置の機能的構成を示すブロック図である。図４に示すように、この表示装置１００は、表示部１０１と、画像データ変換部１０２と、音声出力部１０３と、記憶部１０４と、スイッチ部１０５と、入出力部１０６と、電源部１０７と、制御部１０８と、バスライン１０９とを備えている。
【００１５】
表示部１０１は、画像表示などを行うもので、それぞれ独立した複数の画像表示器からなる。各画像表示器は、それぞれたとえば平行四辺形、菱形、台形形状のフィルム材またはガラス基板などにより構成されている。また、それぞれの画像表示器における走査線が同一方向（たとえば、平行四辺形の１組の辺と同じ方向）に形成されている。なお、画像表示器を菱形のフィルム材またはガラス基板で構成する場合には、その菱形のフィルム材またはガラス基板を二枚の三角形のフィルム材またはガラス基板で構成してもよい。
【００１６】
画像データ変換部１０２は、記憶部１０４に記憶されている画像データを表示部１０１に適正に表示できるような画像データに変換する（詳細は後述する）。
【００１７】
音声出力部１０３は、表示部１０１に表示された画像などに対応する音声を出力する。
【００１８】
記憶部１０４は、表示部１０１に表示するための画像データや、音声出力部１０３から出力するための音声データ、各種コンテンツデータなどを記憶する。また、表示装置１００の制御プログラムを格納している。
【００１９】
スイッチ部１０５は、ユーザによる指示の入力を検出する。
【００２０】
入出力部１０６は、外部からの画像データや音声データを入力する。また、表示装置１００からの画像データや音声データを出力する。この入出力部１０６はライン、電磁波、光通信などによる各データの入出力に対応できるようになっている。
【００２１】
電源部１０７は、各機能部へ電流を供給する。
【００２２】
制御部１０８は、記憶部１０４に格納された制御プログラムに基づいて動作し、表示装置１００全体の制御を行う。
【００２３】
バスライン１０９は、各機能部をつなぐ信号制御ラインであり、各機能部間における各種信号やデータなどの伝達を行う。
【００２４】
この実施の形態の表示装置１００は、表示部１０１、画像データ変換部１０２、音声出力部１０３、記憶部１０４、スイッチ部１０５、入出力部１０６、電源部１０７、制御部１０８、およびバスライン１０９が積層されて構成される。
【００２５】
また、表示部１０１を構成する前記複数の画像表示器を、各画像表示器間の接続部で山折りまたは谷折りが可能になる接続部材で接続すれば、表示部１０１を折り畳むこともできる。この場合の折り畳み方としては、いわゆるミウラ折り（登録商標）を採用すれば、一軸方向に伸縮することで容易に開閉できるので好都合である。すなわち、ミウラ折り（登録商標）を採用することで、表示部１０１の完全展開時における対向端の部分（異なる二つの部分）をもって、さっと左右に引っ張れば一瞬にして広がるし、折り畳むのも瞬時に完了させることができるようになる。
【００２６】
この実施の形態にかかる表示装置１００は、前述のように、表示部１０１が複数の独立した画像表示器で構成されている。また、各画像表示器は、たとえば平行四辺形、菱形、台形形状のものが混在している。このため、表示部１０１に表示される画像の質を向上させるために、すべての画像表示器の走査線の方向が同一になるように形成されている。このため、画像表示器の走査線が水平ではなく斜めの方向に形成される場合がある。
【００２７】
繰り返しになるが、図１−１に示したように、一般に、記憶部１０４に格納されるオリジナル画像データは、走査方向が水平になるように格納される。この走査方向は、表示部の形状や走査線の方向に影響されない。しかしながら、記憶部１０４に前述のように格納されている画像データをそのまま、走査線が斜めの方向に形成されているような表示部１０１に表示すると、画像が歪んでしまうという問題が発生する（図１−２、図１−３を参照）。
【００２８】
そこで、この実施の形態の表示装置では、表示部１０１を構成する画像表示器の走査線の方向が斜めになっている場合には、オリジナル画像データを、前記画像表示器がその配列または走査線の方向に合った表示ができるように変換する。このようにして変換した画像データを表示部１０１に表示することで、画像の歪みを防止し、鮮明な画像を表示することができる。
【実施例】
【００２９】
（実施例１）
図５は、実施例１にかかる表示装置の形状を示す模式図である。この表示装置２００は、複数の平行四辺形の画像表示器２０１と、複数の台形の画像表示器２０２と、これらを接続する接続部材２０３ａ，２０３ｂ，２０４ａ，２０４ｂ，２０５と、を備えて構成される。なお、表示装置２００は、同じ形状の画像表示器のみで構成しても差し支えない。
【００３０】
平行四辺形の画像表示器２０１は、すべて同じ大きさで、フィルム材またはガラス基板により構成されている。また、台形の画像表示器２０２も、すべて同じ大きさで、フィルム材またはガラス基板により構成されている。図５に示した表示装置２００では、複数の平行四辺形の画像表示器２０１と、複数の台形の画像表示器２０２とを組み合わせて、長方形の表示画面を実現する。また、表示装置２００の周辺部に配置される画像表示器内部には、図４に示した入出力部１０６に相当する透明電極２０６が設けられている。また、接続部材２０３ａ，２０３ｂ，２０４ａ，２０４ｂ，２０５は、各画像表示器２０１，２０２に画像データ、音声データ、制御信号、および電源などを導くための導電体を備えている。したがって、各画像表示器２０１，２０２にそれぞれ異なる画像を表示することが可能になる。
【００３１】
接続部材２０３ａ，２０３ｂは、図５における縦方向に配列された、画像表示器２０１と画像表示器２０２、または画像表示器２０１同士を接続する。接続部材２０４ａ，２０４ｂは、図５における横方向に配列された、画像表示器２０１同士、または画像表示器２０２の下底同士を接続する。接続部材２０５は、横方向に配列された画像表示器２０２の上底同士を接続する。
【００３２】
ここで、接続部材２０３ａ，２０３ｂ，２０４ａ，２０４ｂ，２０５を蝶番や樹脂材質により構成すれば、接続部材２０３ａ，２０３ｂ，２０４ａ，２０４ｂ，２０５を折り目として表示装置２００を折り畳むことができる。このときの折り畳み方には、いわゆるミウラ折りを採用するとよい。このようにすることで、山折りの部分と谷折りの部分が交互になるよう折り畳むことができる。
【００３３】
すなわち、まず、表示装置２００を、接続部材２０３ａに沿って山折り、接続部材２０３ｂに沿って谷折りにする。続けて、接続部材２０４ａに沿って山折り、接続部材２０４ｂに沿って谷折りにする。さらに、接続部材２０５に沿って山折りにする。このようにすることで、例えば点２００ａ，２００ｂの部分をつまんでさっと左斜め下と右斜め上の方向へ引っ張れば一瞬にして表示装置２００を広げることができる。また、その状態で、点２００ａ，２００ｂの部分をつまんで軽く押すだけで表示装置２００を折り畳むことができる。
【００３４】
次に、この表示装置２００を構成する各画像表示器の構造について説明する。
【００３５】
図６は、操作機能を備えた画像表示器の構造の一例を示す図である。この画像表示器は、基盤層３０１上に、ダミー半導体層３０２と、バスライン層３０３と、表示層３０４と、操作検出層３０５と、保護層３０６とが順次積層されて構成される。ダミー半導体層３０２は、他の画像表示器と同じ厚さを保つために形成されるダミー層である。バスライン層３０３は、表示層３０４や操作検出層３０５などへ画像データ、音声データ、制御信号、および電流などを導く層である。この画像表示器が表示装置２００の周辺部に配置される場合には、バスライン層３０３に、図４に示した入出力部１０６に相当する透明電極が設けられる。表示層３０４は、有機ＥＬディスプレイ、液晶ディスプレイや電子ペーパなどの薄型ディスプレイなどからなり、画像などの表示を行う層である。操作検出層３０５は、図４に示したスイッチ部１０５に相当するものであり、ユーザからの入力情報を検出するためのタッチパネルからなる。したがって、ユーザが指などで保護層３０６上から操作検出層３０５を押下することにより、表示装置２００の制御を行うことができる。保護層３０６は、透明樹脂などからなり、操作検出層３０５を保護するための層である。また、表示層３０４に画像表示に用いるビデオメモリ、バッファメモリ、表示制御ＩＣなどを形成するように構成しても良い。
【００３６】
図７は、操作機能および制御機能を備えた画像表示器の構造の一例を示す図である。この画像表示器は、基盤層３０１上に、半導体層４０１と、バスライン層３０３と、表示層３０４と、操作検出層３０５と、保護層３０６とが順次積層されて構成される。半導体層４０１は、画像表示に必要なデバイスが薄型または有機半導体などのシート、フィルム形状で形成され、図４に示した画像データ変換部１０２、記憶部１０４、および制御部１０８の機能を実現する。半導体層４０１に、画像表示に用いるビデオメモリ、バッファメモリ、表示制御ＩＣなどを形成するように構成しても良い。また、半導体層４０１は、図６に示したダミー半導体層３０２と同等の厚さに形成されている。この画像表示器は、半導体層４０１を備えているので、画像表示のみならず、バスライン層３０３を介して送られてきた制御信号に基づき当該画像表示器全体の制御を行うことができる。また、他の画像表示器の制御を行うこともできる。なお、この画像表示器が表示装置２００の周辺部に配置される場合には、バスライン層３０３に、図４に示した入出力部１０６に相当する透明電極が設けられる。
【００３７】
図８は、操作機能および音声出力機能を備えた画像表示器の構造の一例を示す図である。この画像表示器は、基盤層３０１上に、振動層５０１と、バスライン層３０３と、表示層３０４と、操作検出層３０５と、保護層３０６とが順次積層されて構成される。振動層５０１は、図６に示したダミー半導体層３０２と同等の厚さに形成されており、バスライン層３０３を介して送られてきた音声データを出力することができる。この振動層５０１は、いわゆるスピーカであり図４に示した音声出力部１０３に相当する。制御部１０８の制御の元、記憶部１０４から読み出された音声データに基づいて振動層５０１が振動することにより音を発生させる。なお、この画像表示器が表示装置２００の周辺部に配置される場合には、バスライン層３０３に、図４に示した入出力部１０６に相当する透明電極が設けられる。
【００３８】
図９は、操作機能および電源を備えた画像表示器の構造の一例を示す図である。この画像表示器は、基盤層３０１上に、シート電源層６０１と、バスライン層３０３と、表示層３０４と、操作検出層３０５と、保護層３０６とが順次積層されて構成される。シート電源層６０１は、図４に示した電源部１０７の機能を実現し、表示層３０４や他の画像表示器へ電流を供給するためのものである。また、シート電源層６０１は、図６に示したダミー半導体層３０２と同等の厚さに形成されている。この画像表示器は、シート電源層６０１を備えているので、他から電流の供給を受けることなく、画像の表示などを行うことができる。なお、この画像表示器が表示装置２００の周辺部に配置される場合には、バスライン層３０３に、図４に示した入出力部１０６に相当する透明電極が設けられる。
【００３９】
この実施例１にかかる表示装置２００は、図６〜図９に示した画像表示器を複数接続することで実現できる。図６〜図９に示した画像表示器は、いずれも６層構造で、すべてが同じ厚さになるように構成されているので、各画像表示器を接続して表示装置２００を構成しても、装置の部分ごとに厚さが異なるといった不自然さはない。また、表示装置２００を構成する際の各画像表示器の配置位置は、表示装置としてどのような機能が要求されているかにより異なるが、図７〜図９に示した画像表示器は少なくてもそれぞれ一つは必要になる。
【００４０】
図１０、図１１は、表示装置２００の接続部材の構成を説明するための図である。図１０に示すように、この表示装置２００は、各画像表示器が可撓性を有する接続部材で接続されている。そして、変位検出フィルム７０１が前記接続部材内部に備えられる。この変位検出フィルム７０１は、図１０に示した形状から変位角度θで折り曲げられることによって図１１に示したように形状が変位し、その変位量に比例した電位を発する。したがって、この変位検出フィルム７０１が発した電位の大きさを図７の制御機能を有する画像表示器の半導体層４０１に設けられた制御部でモニタリングし変化量を検出することで、その変位量を求め、画像表示器の傾き（開き具合）を検出することができる。そこで、変位検出フィルム７０１の変位量を検出し、この検出結果に基づいて電源の投入・切断を制御すれば、電源スイッチに頼らず、表示装置２００の開閉のみで電源の投入・切断を行うことができる。
【００４１】
また、３つ以上の画像表示器を有する表示装置の場合は、画像表示器間の接続部分が２つ以上あることになる。その場合、それぞれの接続部分に設けられている変位検出フィルム７０１の出力はバスラインとして機能するバスライン層３０３を介して制御機能を有する画像表示器へ伝送される。そして、制御部にて表示装置２００全体の形状的変化を検出し、表示装置２００が開いた状態か閉じられている状態かを判断することができる。
【００４２】
図１２は、実施例１の表示装置における画像データの流れを説明するための図である。画像データは、一つの画像表示器の制御部（半導体層４０１）からバスライン層３０３を介してすべての画像表示器に向けて送られる。このようにすれば、表示装置２００は半導体層４０１を有する画像表示器を一つ備えていればよい。また、各画像表示器はすべてアドレスが割り振られている。各画像表示器は、受け取った画像データのなかから自らのアドレスに対応する画像データを表示する。この処理は、各画像表示器の表示層にデーコーダを備えることで実現できる。
【００４３】
具体的には、半導体層４０１に、制御部、記憶部、描画メモリが構成されており、制御部にて各機能部が制御される。制御部のコントロールにて、表示するために必要な画像データが記憶部から読み出され、描画メモリ上に画像イメージとして描画される。この描画メモリに描画される画像イメージは、表示手段に表示される画像範囲より広い範囲の画像イメージが表示される。次に、制御部は実際に表示手段に表示する表示範囲の画像を切り出す。切り出された画像データは各画像表示器（図５の２０１、２０２）の形状に合わせて編集され、バスライン層３０３を介して、各画像表示器へ配信される。
【００４４】
図１３は、実施例１の表示装置を構成する画像表示器の表示画面の構成を示す図である。図１３に示すように、平行四辺形の画像表示器２０１の表示画面の平行な二辺８０１，８０２に対して平行な方向に走査線８０５が形成されている。また、この画像表示器２０１の横方向のアドレスライン８０６も、辺８０１，８０２に対して平行になるように形成されている。そして、発光素子８０７がこのアドレスライン８０６に沿うように配置されている。一方、縦方向のアドレスライン８０８は、画像表示器２０１の表示画面の他の平行な二辺８０３，８０４に対して平行になるように形成されている。このように画像表示器２０１は、発光素子８０７が斜め方向にずれた配列になっている（図１３における例では、表示データのアドレスが右方向へ１シフトすると１/３ずつ上方にずれて斜めに表示される場合を説明している）。なお、台形の画像表示器２０２も同様の発光素子８０７の配列及び同様の方向のアドレスライン８０６、８０８を有する構成である。
【００４５】
次に、この実施例１の表示装置における画像データの変換処理について説明する。
【００４６】
図１４−１〜図１４−４は、実施例１の表示装置における画像データの変換処理の一例を説明するための図である。前述のように、この実施例１の表示装置では、平行四辺形の形状をした画像表示器の走査線が斜め方向に形成されているため、図２−１に示したように従来の矩形状の画像表示器用の描画メモリ上に描画された画像データを、そのままの形式で表示画面に表示すると画像が斜めに歪んでしまう。そこで、実施例１では、かかる不都合を解決するため、次のような処理を行う。
【００４７】
図１４−１は、ｍ列ｎ行からなるメモリ空間９０１の画像データＤの内容を模式的に表現したものである。図１４−１に示した例は、説明を簡素化するため、それぞれの行には同一のデータが保持されているものとする。図１３に示したような発光素子８０７が斜めにずれた配列となっている平行四辺形型の画像表示器にメモリ空間９０１に保持されている画像を表示する際に、メモリ空間９０１に保持されている画像データを所定のルールに基づき変換する。このルールを表１に示す。
【００４８】
【表１】
0004624952.tif 000002
【００４９】
表１は、図１３における表示データのアドレスが右方向へ１シフトすると１/３ずつ上方にずれて斜めに表示される場合の変換ルールを変換式の形で示したものである。
【００５０】
図１４−１に示したメモリ空間９０１の画像データＤを変換することなしに、平行四辺形型の画像表示器に走査をすると、図１４−２のように画像全体が歪んで表示される（メモリ空間９０１の画像データＤのアドレス座標と画像表示器の画素Ａのアドレス座標がそれぞれ対応している）。そのため、図１４−１のメモリ空間９０１の画像データＤを表１に示す変換式により変換し、図１４−３に示すようなメモリ空間９０２とし、変換したメモリ空間９０２の画像データＤ’を用いて平行四辺形型の画像表示器の画素Ａに画像を表示させる。このようにすることにより図１４−４のように走査線が斜めであっても、画像が歪んだり回転したりすることを防止できる。
【００５１】
次に、変換の具体例を説明する。図１４−１〜図１４−４において、ｍ、ｎを３の倍数とすると、図１４−１において、メモリ空間９０１の最初の列である第ｍ列（Ｄ（ｍ，ｎ−１）、Ｄ（ｍ，ｎ）、Ｄ（ｍ，ｎ＋１））は、表１の（１）の式に従って変換される。メモリ空間９０１の第ｍ列を第０列とすると（ｍ＝３＊Ｍ＝３＊０）、メモリ空間９０２の第ｍ列にはメモリ空間９０１の第ｍ列がそのままコピーされることになる。
【００５２】
メモリ空間９０１の第（ｍ＋１）列（Ｄ（ｍ＋１，ｎ−１），Ｄ（ｍ＋１，ｎ），Ｄ（ｍ＋１，ｎ＋１））は、表１の（２）の式に従ってメモリ空間９０２の第（ｍ＋１）列（Ｄ’（ｍ＋１，ｎ−１），Ｄ’（ｍ＋１，ｎ），Ｄ’（ｍ＋１，ｎ＋１））に変換される。つまり、メモリ空間９０２の画素データＤ’（ｍ＋１，ｎ−１）は、メモリ空間９０１の画素データＤ（ｍ＋１，ｎ−１）が３分の２寄与し、図示せぬ画素データＤ（ｍ＋１，ｎ−２）が３分の１寄与していることになる。メモリ空間９０２の画素データＤ’（ｍ＋１，ｎ）は、メモリ空間９０１の画素データＤ（ｍ＋１，ｎ）が３分の２寄与し、画素データＤ（ｍ＋１，ｎ−１）が３分の１寄与していることになる。メモリ空間９０２の画素データＤ’（ｍ＋１，ｎ＋１）は、メモリ空間９０１の画素データＤ（ｍ＋１，ｎ＋１）が３分の２寄与し、画素データＤ（ｍ＋１，ｎ）が３分の１寄与していることになる。したがって、メモリ空間９０１の画素データＤを表１の変換式（２）に当てはめて、変換後のメモリ空間９０２の画素データＤ’を演算する。
【００５３】
メモリ空間９０１の第（ｍ＋２）列（Ｄ（ｍ＋２，ｎ−１），Ｄ（ｍ＋２，ｎ），Ｄ（ｍ＋２，ｎ＋１））は、表１の（３）の式に従ってメモリ空間９０２の第（ｍ＋２）列（Ｄ’（ｍ＋２，ｎ−１），Ｄ’（ｍ＋２，ｎ），Ｄ’（ｍ＋２，ｎ＋１））に変換される。つまり、メモリ空間９０２の画素データＤ’（ｍ＋２，ｎ−１）は、メモリ空間９０１の図示せぬ画素データＤ（ｍ＋２，ｎ−２）が３分の２寄与し、図示せぬ画素データＤ（ｍ＋２，ｎ−１）が３分の１寄与していることになる。メモリ空間９０２の画素データＤ’（ｍ＋２，ｎ）は、メモリ空間９０１の画素データＤ（ｍ＋２，ｎ−１）が３分の２寄与し、画素データＤ（ｍ＋１，ｎ）が３分の１寄与していることになる。メモリ空間９０２の画素データＤ’（ｍ＋２，ｎ＋１）は、メモリ空間９０１の画素データＤ（ｍ＋２，ｎ）が３分の２寄与し、画素データＤ（ｍ＋２，ｎ＋１）が３分の１寄与していることになる。したがって、メモリ空間９０１の画素データＤを表１の変換式（３）に当てはめて、変換後のメモリ空間９０２の画素データＤ’を演算する。
【００５４】
メモリ空間の第（ｍ＋３）列（Ｄ（ｍ＋３，ｎ−１），Ｄ（ｍ＋３，ｎ），Ｄ（ｍ＋３，ｎ＋１））は、表１の（１）の式に従ってメモリ空間９０２の第（ｍ＋３）列（Ｄ’（ｍ＋３，ｎ−１），Ｄ’（ｍ＋３，ｎ），Ｄ’（ｍ＋３，ｎ＋１））に変換される。つまり、メモリ空間９０２の画素データＤ’（ｍ＋３，ｎ−１）は、メモリ空間９０１の図示せぬ画素データＤ（ｍ＋３，ｎ−２）がシフトし、メモリ空間９０２の画素データＤ’（ｍ＋３，ｎ）はメモリ空間９０１の画素データＤ（ｍ＋３，ｎ−１）がシフトし、メモリ空間９０２の画素データＤ’（ｍ＋３，ｎ＋１）はメモリ空間９０１の画素データＤ（ｍ＋３，ｎ−１）がシフトすることになる。
【００５５】
以下、表１の変換式（１）〜（３）を繰り返すことにより、メモリ空間９０１の全ての画像データＤがメモリ空間９０２の画像データＤ’に変換されることになる。そして、変換後のメモリ空間９０２の画像データＤ’を用いて画像表示器を走査することにより、走査線が斜めである場合であっても、画像が変形したり、回転して表示されたりすることを防止することができる。
【００５６】
図１５は、具体的な変換例を示す図である。この図１５は、メモリ空間９０１の画像データＤに具体的な数値例を用いて、その変換例を示したものである。なお、図示した画素以外はゼロデータが入っているものとする。
【００５７】
以上、右３ピクセル分の画素を補正することで画像データの変換を行う場合の例を示したが、一般的にＰピクセル分の画素補正を行って画像データの変換を行う場合は、次の表２に示すような処理を行うとよい。すなわち、メモリ空間９０１の画像データＤを画像表示器の形状に見合った所定の重み付けを行い、その演算値を算出して、描画用のメモリ空間９０２の画像データＤ’とするのである。
【００５８】
【表２】
0004624952.tif 000003
【００５９】
次に、実施例１の表示装置３００における画像データの変換処理について、フローチャートで説明する。
【００６０】
図１６は、実施例１の表示装置における画像データの変換処理の手順の一例を示すフローチャートである。なお、この図１６における画像データの変換処理は、メインとなる画像表示器の半導体層５０１（図４に示した画像データ変換部１０２の機能を実現する）で行われる。
【００６１】
まず、基本画像データを読み込む（ステップＳ１６０１）。ここでは、基本画像データは、半導体層５０１の記憶機能（記憶部１０４）に格納される。次に、基本画像データを変換する（ステップＳ１６０２）。この処理は、半導体層５０１のデータ変換機能（画像データ変換部１０２）でおこなわれる。変換済み画像データを格納する（ステップＳ１６０３）。変換済み画像データは、半導体層５０１の記憶機能（記憶部１０４）に格納される。
【００６２】
続いて、各画像表示器の形状に合わせて基本画像データを分割する（ステップＳ１６０４）。分割した画像データに対応した各画像表示器のアドレスを付加する（ステップＳ１６０５）。アドレスを付加した画像データを各画像表示器の記憶部へ送信する（ステップＳ１６０６）。
【００６３】
図１７は、実施例１の表示装置における画像データの変換処理の手順の一例を示すフローチャートである。なお、この図１７における画像データの変換処理は、各画像表示器のデコーダ（半導体層５０１でこの機能を実現する）で行われる。
【００６４】
まず、各画像表示器が自らのアドレスに合致した画像データを受信する（ステップＳ１７０１）。各画像表示器は自らのアドレスを理解しているものとする。次に、受信データを格納する（ステップＳ１７０２）。受信データは、半導体層５０１の記憶機能に格納される。最後に、受信データを斜めスキャンで表示する（ステップＳ１７０３）。
【００６５】
以上のような処理を行うことで、この実施例１では、走査線が水平方向ではなく斜め方向に形成された画像表示器で構成された表示装置であっても、表示画像が歪むことなく、鮮明で質の高い画像を得ることができる。
【００６６】
また、図１８は、実施例１にかかる表示装置の一構成例を示す図である。この図１８は、平行四辺形の画像表示器と、台形の画像表示器とを組み合わせて、図５に記載された矩形状の折り畳み表示装置を構成する場合の例を示している。台形の画像表示器においても平行四辺形の画像表示器と同様の方向の走査線方向となっている。つまり、矩形状の折り畳み可能な表示装置は、平行四辺形および台形２種類の形状の画像表示器から構成され、双方画像表示器の走査線の方向は平行四辺形の辺と平行であるように構成される。このようにすることにより、異なる形状の画像表示器であっても走査線の方向を同じ向きにすることができ、走査のための駆動回路またはプログラムを複雑にすることなく構成できる。
【００６７】
（実施例２）
続いて、この発明の実施例２について説明する。実施例２の表示装置の構成は各画像表示器の走査線の方向が異なる以外は、実施例１の表示装置と同様の構成である。
【００６８】
図１９は、実施例２にかかる表示装置を構成する画像表示器の表示画面の構成を示す図である。実施例２では、平行四辺形の画像表示器２０１の表示画面の平行な二辺８０３，８０４に対して直行する方向に走査線１４０１が形成されている。そして、画像表示器２０１の横方向のアドレスライン１４０２も、辺８０３，８０４に対して直行する方向に形成されている。そして、発光素子８０７がこのアドレスライン１４０２に沿うように配置されている。一方、縦方向のアドレスライン１４０３は、画像表示器２０１の表示画面の平行な二辺８０３，８０４に対して平行になるように形成されている。このように画像表示器２０１は、発光素子８０７が格子状になるように配置されている。なお、台形の画像表示器も同様の構成となる。
【００６９】
図２０は、実施例２における画像データの走査方法を説明するための図である。図２０に示すように、実施例２の表示装置では、表示画面１５０２の走査線の方向は水平となっているため、実施例１に示したような画像データの変換を行う必要はない。すなわち、メモリ空間１５０１に格納されている画像データをそのまま用いて表示画面１５０２に表示することで、歪みのない鮮明な画像が得られる。
【００７０】
以上説明したように、この発明の実施例にかかる表示装置によれば、正方形や長方形で形成されていない画像表示器が用いられていても、映像などの２次元画像を歪んで表示することなく正確に表示することが可能となる。
【図面の簡単な説明】
【００７１】
【図１−１】この発明にかかる表示装置の概念を示す図である。
【図１−２】この発明にかかる表示装置の概念を示す図である。
【図１−３】この発明にかかる表示装置の概念を示す図である。
【図２−１】図１−１に示した表示装置に対して所定の画像を表示させた場合を示す図である。
【図２−２】図１−２に示した表示装置に対して所定の画像を表示させた場合を示す図である。
【図２−３】図１−３に示した表示装置に対して所定の画像を表示させた場合を示す図である。
【図３】この発明にかかる表示装置の概要を説明するための図である。
【図４】この発明の実施の形態にかかる表示装置の機能的構成を示すブロック図である。
【図５】実施例１にかかる表示装置の形状を示す模式図である。
【図６】操作機能を備えた画像表示器の構造の一例を示す図である。
【図７】操作機能および制御機能を備えた画像表示器の構造の一例を示す図である。
【図８】操作機能および音声出力機能を備えた画像表示器の構造の一例を示す図である。
【図９】操作機能および電源を備えた画像表示器の構造の一例を示す図である。
【図１０】表示装置の接続部材の構成を説明するための図である。
【図１１】表示装置の接続部材の構成を説明するための図である。
【図１２】実施例１の表示装置における画像データの流れを説明するための図である。
【図１３】実施例１の表示装置を構成する画像表示器の表示画面の構成を示す図である。
【図１４−１】実施例１の表示装置における画像データの変換処理の一例を説明するための図である。
【図１４−２】実施例１の表示装置における画像データの変換処理の一例を説明するための図である。
【図１４−３】実施例１の表示装置における画像データの変換処理の一例を説明するための図である。
【図１４−４】実施例１の表示装置における画像データの変換処理の一例を説明するための図である。
【図１５】具体的な変換例を示す図である。
【図１６】実施例１の表示装置における画像データの変換処理の手順の一例を示すフローチャートである。
【図１７】実施例１の表示装置における画像データの変換処理の手順の一例を示すフローチャートである。
【図１８】実施例１にかかる表示装置の一構成例を示す図である。
【図１９】実施例２にかかる表示装置を構成する画像表示器の表示画面の構成を示す図である。
【図２０】実施例２における画像データの走査方法を説明するための図である。
【符号の説明】
【００７２】
１０，１００，２００  表示装置
１１  オリジナル画像メモリ
１２  画像変換部
１３  変換画像メモリ
１４  画像表示器
１４ａ，１４ｂ，８０１，８０２，８０３，８０４  辺
１０１  表示部
１０２  画像データ変換部
１０３  音声出力部
１０４  記憶部
１０５  スイッチ部
１０６  入出力部
１０７  電源部
１０８  制御部
１０９  バスライン
２０１，２０２  画像表示器
２０３ａ，２０３ｂ，２０４ａ，２０４ｂ，２０５  接続部材
３０１  基盤層
３０２  ダミー半導体層
３０３  バスライン層
３０４  表示層
３０５  操作検出層
３０６  保護層
４０１  半導体層
５０１  振動層
６０１  シート電源層
７０１  変位検出フィルム
８０６，８０８，１４０２，１４０３  アドレスライン
８０５，１４０１  走査線
８０７  発光素子
９０１，９０２，１５０１  メモリ空間
１５０２  表示画面
【図１−１】
0004624952.tif 000004
【図１−２】
0004624952.tif 000005
【図１−３】
0004624952.tif 000006
【図２−１】
0004624952.tif 000007
【図２−２】
0004624952.tif 000008
【図２−３】
0004624952.tif 000009
【図３】
0004624952.tif 000010
【図４】
0004624952.tif 000011
【図５】
0004624952.tif 000012
【図６】
0004624952.tif 000013
【図７】
0004624952.tif 000014
【図８】
0004624952.tif 000015
【図９】
0004624952.tif 000016
【図１０】
0004624952.tif 000017
【図１１】
0004624952.tif 000018
【図１２】
0004624952.tif 000019
【図１３】
0004624952.tif 000020
【図１４−１】
0004624952.tif 000021
【図１４−２】
0004624952.tif 000022
【図１４−３】
0004624952.tif 000023
【図１４−４】
0004624952.tif 000024
【図１５】
0004624952.tif 000025
【図１６】
0004624952.tif 000026
【図１７】
0004624952.tif 000027
【図１８】
0004624952.tif 000028
【図１９】
0004624952.tif 000029
【図２０】
0004624952.tif 000030